(57)【要約】【課題】移動式ユニットトイレの洗浄に伴う多大な手間や、該洗浄中に移動式ユニットトイレが使用不可能状態となる不都合などを解消させる。【解決手段】便室１００の床面部１に簡易水洗式の便器４を設け、該床面部１の下側に処理室８を形成した移動式ユニットトイレにおいて、前記処理室８の内方に、前記便器４から落下した便尿を受け入れ分解させ蒸散させるものとした引出式処理箱１０を水平外方への抜き出し可能に装設した構成となす。【選択図】図４
2005146723.tif 000002
【特許請求の範囲】
【請求項１】
便室の床面部に簡易水洗式の便器を設け、該床面部の下側に処理室を形成した移動式ユニットトイレにおいて、前記処理室の内方に、前記便器から落下した便尿を受け入れ分解させ蒸散させるものとした引出式処理箱を水平外方への抜き出し可能に装設したことを特徴とする移動式ユニットトイレ。
【請求項２】
便室の床面部に簡易水洗式の便器を設け、該床面部の下側に処理室を形成した移動式ユニットトイレにおいて、前記処理室の内方に、前記便器から落下した便尿を受け入れるものとした引出式処理箱を水平外方への抜き出し可能に装設し、該引出式処理箱は内方の便尿中に空気を散点状に吹き出すための空気噴出管と、前記内方の便尿を加熱するためのヒーターとを装設されていることを特徴とする移動式ユニットトイレ。
【請求項３】
前記引出式処理箱は、前記便器から落下した便尿を受け入れ貯溜する第１処理槽と、該第１処理槽から溢れ出た汚水を受け入れ貯溜する第２処理槽とを備えており、また前記処理室の側面部には第２開閉孔が形成されており、前記第２処理槽内の汚水が前記第２開閉口を通じる吸引管手段により外方へ吸引排出される構成となされていることを特徴とする請求項１記載の移動式ユニットトイレ。
【請求項４】
前記第１処理槽と前記第２処理槽のそれぞれの上面開口に向けて上側から外気を強制的に圧送するための動力空気供給手段を設けたことを特徴とする請求項１、２又は３記載の移動式ユニットトイレ。
【請求項５】
前記処理室の側面部に第１開閉口を形成し、該第１開閉口は前記引出式処理箱の使用中には閉鎖状態となされ、前記引出式処理箱を水平外方へ取り出すときには開放されて前記引出式処理箱の通過を許容する状態となることを特徴とする請求項１、２、３又は４記載の移動式ユニットトイレ。
【請求項６】
前記引出式処理箱が複数形成されており、前記処理室内の前記引出式処理箱が外方へ取り出されたときは別の前記引出式処理箱が代わりに装着される構成を特徴とする請求項１、２、３、４又は５記載の移動式ユニットトイレ。
【発明の詳細な説明】
【技術分野】
【０００１】
本発明は、必要な場所に持ち運んで仮設的に使用される移動式ユニットトイレに関する。
【背景技術】
【０００２】
便室の床面部に簡易水洗式の便器を設け、該床面部の下側に処理室を形成し、該処理室の内方には、前記便器から落下する便尿を受け入れる処理槽を固定状に形成すると共に該処理槽内に溜まった便尿を分解させ濾し取り蒸散させるための手段を設けたものとなされた移動式ユニットトイレは存在している（例えば特許文献１参照）。
【０００３】
この移動式ユニットトイレでは、前記処理槽内の便尿は濾し取られ蒸散されるため、その汲み取りは適正使用状態の下では行う必要がない。しかし、長期に亘って使用すると、前記処理槽内に残留物が生じるため、１年に何回かは洗浄することが必要となる。
【０００４】
【特許文献１】特開平９−２６８６３２号公報
【発明の開示】
【発明が解決しようとする課題】
【０００５】
上記した従来の移動式ユニットトイレにおいては、前記処理槽内を洗浄するときには、衛生上の観点などから、全体を洗浄設備の整った場所へ持ち運ぶことが必要であり、また前記処理室内の奥深い個所である前記処理槽内を多くの手間をかけて洗浄することが必要であり、さらにはこのような洗浄処理をする間、その移動式ユニットトイレは使用できないため、代わりの移動式ユニットトイレを用意しなければならない場合が生じるのである。
【０００６】
本発明は、斯かる事態に合理的に対処できるものとした移動式ユニットトイレを提供することを目的とする。
【課題を解決するための手段】
【０００７】
上記目的を達成するため、本発明は、請求項１に記載したように、便室の床面部に簡易水洗式の便器を設け、該床面部の下側に処理室を形成した移動式ユニットトイレにおいて、前記処理室の内方に、前記便器から落下した便尿を受け入れ分解させ蒸散させるものとした引出式処理箱を外横方への抜き出し可能に装設したものである。
【０００８】
上記発明は次のように、具体化するのである。
即ち、請求項２に記載したように、前記引出式処理箱は、内方の便尿中に空気を散点状に吹き出すための空気噴出管と、前記内方の便尿を加熱するためのヒーターとを装設されているものとなす。
【０００９】
さらに詳細には、請求項３に記載したように、前記引出式処理箱は、前記便器から落下した便尿を受け入れ貯溜する第１処理槽と、該第１処理槽から溢れ出た汚水を受け入れ貯溜する第２処理槽とを備えており、また前記処理室の側面部には第２開閉口２２が形成されており、前記第２処理槽内の汚水が前記第２開閉口２２を通じる吸引管手段により外方へ吸引排出される構成となされている構成となす。
この際、請求項４に記載したように、前記第１処理槽と前記第２処理槽のそれぞれの上面開口に向けて上側から外気を強制的に圧送するための動力空気供給手段を設けるのがよい。
【００１０】
また請求項５に記載したように、前記処理室の側面部に第１開閉口２１を形成してあり、該第１開閉口２１は前記引出式処理箱の使用中には閉鎖状態となされ、一方、前記引出式処理箱を水平外方へ取り出すときには開放されて前記引出式処理箱の通過を許容する状態となるものとなす。
【００１１】
さらには請求項６に記載したように、前記引出式処理箱が複数形成されており、前記処理室内の前記引出式処理箱が外方へ取り出されたときは別の前記引出式処理箱が代わりに装着される構成となす。
【発明の効果】
【００１２】
上記した本発明によれば次のような効果が得られる。
即ち、請求項１記載のものによれば、前記引出式処理箱が前記便器から落下した便尿を受け入れ分解させ蒸散させるものとなされているため、前記引出式処理箱内に溜まった便尿を汲み出す必要がなくなるのであり、また前記引出式処理箱は長期に亘って使用されると、内部に汚泥が蓄積するようになり、したがって年に４回〜５回程度は内部を洗浄するが、この洗浄に際しては前記引出式処理箱内の液分は使用の停止により１日〜数日で完全に蒸発させ、この後、前記引出式処理箱を前記処理室から抜き出して洗浄場所まで運搬した後に洗浄するように取り扱うことができて、簡便且つ低コストな洗浄処理が行えるようになるのであり、また前記引出式処理箱内の液分が蒸散されるため該処理箱内に残留するものは極微量で臭気の少ない薄膜状の乾燥汚泥となり、この点でも洗浄処理の手間が軽減されるのである。
【００１３】
請求項２記載のものによれば、前記引出式処理箱が、これの内方の便尿中に空気を散点状に吹き出すための空気噴出管と、前記内方の貯溜便尿を加熱するためのヒーターとを装設されているため、前記引出式処理箱であっても、これの内方に溜まった便尿を迅速に分解させ且つ蒸散させることができるのであり、これにより請求項１記載の発明と同様な利益を得ることができるのである。
【００１４】
請求項３記載のものによれば、前記引出式処理箱が、前記便器から落下した便尿を受け入れ貯溜する第１処理槽と、該第１処理槽から溢れ出た汚水を受け入れ貯溜する第２処理槽とを備えているため、イベントなどで短期間のうちに多数の人が小用に使用したときなどにおいて未処理の汚水（殆ど尿分からなっているもの）を第２処理槽内に集めることができ、この第２処理槽内に溜まった汚水を、開放された前記第２開閉口２２を通じて前記処理室の外方から内方に導かれた吸引管手段により他所へ排出することができるのであり、また前記引出式処理箱の蒸散処理能力の範囲内で使用する通常使用状態時には第２処理槽１３内に汚水が流入しないため、前記第２開閉口を閉鎖することができて、前記処理室内の臭気が前記第２開閉口を通じて外方へ漏れ出るのを阻止することができる。
【００１５】
請求項４記載のものによれば、 前記引出式処理箱における前記第１処理槽と前記第２処理槽のそれぞれの内方に溜まった汚水中に生息する好気性微生物に充分な酸素を供給することができて該好気性微生物の活動を旺盛にすることができ、これにより便尿などの汚水の分解を促進させることができるのである。
【００１６】
請求項５記載のものによれば、前記引出式処理箱の使用中には前記第１開閉口が閉鎖されるため、前記処理室内の前記引出式処理箱が外方へ抜け出たり前記処理室内の臭気が外方へ漏れ出るのを確実に阻止できるのであり、一方、前記引出式処理箱を前記処理室から抜き出す処理は、前記第１開閉口を開放することにより前記引出式処理箱に水平外方への引力を直接に付与して簡便に行うことができるようになる。
【００１７】
請求項６記載のものによれば、前記処理室内の前記引出式処理箱を洗浄するときには代わりの前記引出式処理箱が装着されるため、前記処理室内に前記引出式処理箱が存在しない状態は殆ど生じなくなり、前記引出式処理箱が洗浄されている最中にも、本発明品はほぼ連続して使用できるものとなる。
【発明を実施するための最良の形態】
【００１８】
次に本発明に係る移動式ユニットトイレの実施形態について説明する。
図１は前記移動式ユニットトイレを斜め前方から見たもので便室を透視した状態を示す図、図２は前記移動式ユニットトイレを斜め後方から見たもので便室を透視した状態を示す図、図３は前記移動式ユニットトイレの概要を説明するためのブロック図、図４は前記移動式ユニットトイレの要部を示す側面視断面図、図５は図４のｘ−ｘ部を示す断面図である。
図１及び図２に示すように、本発明の移動式ユニットトイレは便室１００と台部１０１とを備えたものとなされている。
【００１９】
便室１００は床面部１、側面部２及び頂面部３を板部材で形成されていて、前側をなす側面部２の大部分を開閉可能な出入り用の扉体２ａで形成されており、床面部１には便器用開口１ａが形成されていて該開口１ａの内方に簡易水洗式の便器４が嵌挿状に装着されている。この際、便器４は図３などに示すように上部枠部４ａ、後部半円部４ｂ及び便尿落下筒部４ｃからなっている。
【００２０】
一方、台部１０１は下面部５及び側面部６を板部材で形成され、頂面部を前記床面部１で覆われた方形箱体となされており、台部１０１の内方には縦向き仕切板７が前後方向ｆ１に沿わせて気密状に固設されていて、該仕切板７の左側空間が比較的大きい内容積となされた密閉状の処理室８となされていて、該仕切板７の右側が比較的小さい内容積となされた液密状の水タンク９となされている。
【００２１】
図４に示すように、処理室８の内方には引出式処理箱１０が配設されており、該引出式処理箱１０は、上面が開放された方形箱体１０ａを主体としていて、前後方向ｆ１途中個所に左右方向ｆ２に沿わせた縦向き仕切板１１を形成されることにより、前側に比較的広い内容積となされた第１処理槽１２を、そして後側に比較的狭い内容積となされた第２処理槽１３とを備えたものとなされている。この際、縦向き仕切板１１の上縁中央個所には堰部ａ１をなす切込部が形成されており、第１処理槽１２内に溜まった汚水が堰部ａ１を通じて第２処理槽１３内に流入するようになっている。
【００２２】
方形箱体１０ａは第１処理槽１２の内方底面に図５に示す固定片１４を介して固定された空気噴出管１５と、第１処理槽１２の底面の下面に密着させて固定された板状のヒーター１６とを備えている。この際、空気噴出管１５は内方側の楕円状部１５ａと外方側の楕円状部１５ｂと、これら内外の楕円状部を連通させる連通部１５ｃと、内方側の楕円状部１５ａに空気を供給する空気入口部１５ｄとを備え、空気入口部１５ｄの始端に後述する空気供給ホース３６を離脱可能に接続するための結合部材ａ２を固定されたものとなされており、またヒーター１６からは電力受入線１７が延出されていてこれの先端に後述する電気線力供給線４２を離脱可能に接続するための接続具ａ３が取り付けられている。
【００２３】
方形箱体１０ａの左右側面部ｂ１、ｂ１の外面特定高さ個所には前後向き水平状となされた一対の補強帯板１８、１８が固着されていて、各補強帯板１８の前寄り位置と後寄り位置とのそれぞれに支持部が設けられ、各支持部個所に１つの輪体１９が装着されており、また方形箱体１０ａの左右各側面部ｂ１、ｂ１のうち第１処理槽１２に対応した部位の上縁ｂ２、ｂ２は縦向き仕切板１１の上縁よりも上方へ張り出させてあって、第１処理槽１２内の汚水が該第一処理槽１２の横外方へ飛散するのを左右の上縁ｂ２、ｂ２個所に阻止させるようになされている。
【００２４】
図５に示すように、処理室８内の左右側面部６、６の内面個所ｃ１、ｃ１の特定高さ個所には左右一対からなる前後向き水平状の軌道板部材２０、２０が内方への張り出し状に固着されており、これら一対の軌道板部材２０、２０に前記輪体１９を支持させ、引出式処理箱１０に前後方向ｆ１の操作力を付与することで引出式処理箱１０が輪体１９及び軌道板部材２０に支持されて比較的軽く前後移動するようになされている。
【００２５】
処理室８の前側の側面部６には軌道板部材２０、２０により特定高さ位置に支持された引出式処理箱１０が前外方へ移動することにより通過することのできるものとなされた第１開閉口２１が形成されており、該第１開閉口２０は前側の側面部６に設けられた方形状の開口２１ａと、該開口２１ａを略気密状に覆うものとした蓋体２１ｂとからなっている。そして、処理室８の後側の側面部６には第２処理槽１３の位置に関連して第２開閉口２２が形成されている。
【００２６】
上記床面部１の略後半部上には高床部２３が床面部１上に段重ね状に固着されており、該高床部２３は上面部２４と側面部２５を備えると共に便器４の側周囲を取り巻く態様の平面視欠け楕円形に切除され、該切除個所に沿わせて縦向き曲がり面部２６を形成されていて、床面部１とこれら上面部２４、側面部２５及び縦向き曲がり面部２６とで包囲された気密空間２７を形成されており、該気密空間２７は、便器４の左側近傍に位置され前後方向ｆ１に沿わせて固着された縦向き仕切板２８を介して左右に仕切られており、該縦向き仕切板２８の左側の密閉空間２９内には動力空気供給手段をなす第１のブロアー３０及び第２のブロアー３１が固設されていて該密閉空間２９の前側の側面部２５及び左側の側面部２５の適当個所にこれらブロワー３０、３１の吸引する外気を該密閉空間２９内に流入させるための図示しない空気吸引口が形成されており、また該縦向き仕切板２８の右側の密閉空間３２は便器４の後側の床面部１と同一高さ個所に形成された開口１ｂ（点線で平行斜線を付した個所）を通じて処理室８内と連通されると共に高床部２３の上面に形成された透孔３３及び、該透孔３３から気密状に延長された図示しない縦向きの排気筒を通じて大気に連通されている。
【００２７】
第１ブロワー３０の下面側の空気吐出口からは比較的大きな径の２つの空気供給管３４、３５が処理室８内に向けて気密状に延出されていて、一方の空気供給管３４は第１処理槽１２の上面開口の上側近傍に開口され、他方の空気供給管３５は第２処理槽１３の上面開口の上側近傍に開口され、第１ブロワー３０の空気吐出口から吐出される空気が第１処理槽１２及び第２処理槽１３の上面開口の略中央個所へ向けて流出されるようになされている。そして、第２ブロワー３１の空気吐出口から比較的小径の空気供給ホース３６が処理室８内へ向けて延出されていて、その先端部が空気噴出管１５の始端部に固定された結合部材ａ２に分離可能に結合され、第２ブロアー３１から吐出された空気が空気噴出管１５まで送られて該空気噴出管１５に形成された多数の透孔から噴出されるようになされている。
【００２８】
そして第１処理槽１２と第２処理槽１３との間の上側で床面部１の同一高さ個所には床面部１に形成された便器用開口１ａを横断するように位置された水平補強板３７が設けられており、該水平補強板３７の下面に縦向き補強板３８が左右方向ｆ２に沿わせて固着されている。
【００２９】
高床部２３の上面部２４の透孔３３の前側にはフット式水ポンプ３９が設けてあり、該水ポンプ３９はこれの上面を繰り返し踏込むことにより上下方向へ繰り返し伸縮変形し、該変形により生じる吸引力と吐出力により水タンク９内の水を吸引して便器４内へ水洗用の水を送り出すように作用するものである。
【００３０】
処理室８の後側の側面部６には電源箱４０が設けてあり、図３に示すように、該電源箱４０から第１及び第２のブロワー３０、３１に電力供給線４１を延出させると共にヒーター１６に向けて電力供給線４２が延出させてあり、この際、ヒーター１６に接続される電力供給線４２は前記接続具ａ３に離脱可能に接続される。
【００３１】
図１中、４３は床面部１上に形成された給水用の開閉孔であり、この開閉孔４３は水タンク９内に給水する際に適宜な送水ホースなどを差し込むように使用される。また４４は水道を直結させて水道水を水タンク９内に供給するように使用される給水口である。
【００３２】
次に上記した本発明品の使用例及び作用などについて説明する。
工事現場などの必要場所に本発明品をトラックなどで運搬して定置させる。そして電源箱４０に商用電源から電力を供給して第１ブロワー３０やヒーター１６を作動させると共に、水タンク９に水を供給しておく。
【００３３】
本発明品の使用者は便室１００の前側の側面部２に臨み、扉体２ａを開閉して便室１００内に入り便器４内に排泄する。排泄が終了したとき、使用者は便器４内の便尿を流すためにフット式水ポンプ３９を繰り返して踏み込むように操作するのであり、これにより便尿は凡そ２００ｃｃ程度の水洗水と共に便器４の便尿落下筒部４ｃからこれの下端に付設されている逆止弁体ｄ（図４参照）を押し開いて第１処理槽１２内に落下する。このような使用が多数人により行われると、第１処理槽１２内に便尿などが溜まっていって空気噴出管１５が便尿などで覆われた状態になるが、このとき、これに関連して第２ブロワー３１が自動的に或いは手動操作により作動を開始する。
【００３４】
第２ブロワー３１が作動を開始すると、空気が空気噴出管１５内に供給されて、多数の透孔から勢いよく噴出され、この噴出された空気が第１処理槽１２内に溜まった便尿などを激しく攪拌すると共に酸素を便尿中の好気性微生物に供給する。そして一方では第１ブロワー３０の作動により空気供給管３４を通じて空気が第１処理槽１２内に溜まった便尿などの表面全体に連続的に吹きかけられると共に、ヒーター１６による加熱により第１処理槽１２内の便尿などは凡そ２７℃〜３０℃程度に加熱されるのであり、これにより、便尿中の好気性微生物は充分に酸素を供給されてその活動を活性化されるため、便尿などは好気性微生物により迅速に分解され、またヒーター１６の熱で積極的に蒸散されるのである。
【００３５】
この際、便尿などの蒸散量は例えば一日に凡そ４０リットル〜５０リットル程度となるのであり、したがって大人が凡そ４０回程度使用しても、第１処理槽１２内の便尿などの量は増加しないのであり、したがってこの程度の使用量であれば第１処理槽１２内の便尿の汲み取りは必要ないのである。
【００３６】
このような使用が長期に亘って行われると、第１処理槽１２内には漸次に残留物が蓄積するのであり、したがって引出式処理箱１０は１年に凡そ４回〜５回程度洗浄してその残留物を除去する必要がある。
【００３７】
引出式処理箱１０の洗浄に際しては、本発明品の使用を一時的に停止して、第１処理槽１２内の液分を完全に蒸散させるのであり、これにより第１処理槽１２内には底面に薄膜状の乾燥汚泥が付着した状態となり、この際、乾燥汚泥は殆ど重量はなく嵩も極微量となる。
【００３８】
この後、作業者は電源箱４０への電力供給を遮断し、次に第１開閉口２１の扉体２１ｂを取り外して、引出式処理箱１０に手を掛けて引き出し力を付与するのであり、これにより引出式処理箱１０は輪体１９及び軌道板部材２０に支持案内されて円滑に水平前方へ引き出される。この引き出し量が特定大きさとなったとき、空気供給ホース３６の先端部を結合部材ａ２から離脱させると共にヒーター１６に接続された電力供給線４２を接続具ａ３から離脱させる。次に作業者は引出式処理箱１０をさらに水平前方へ引き出して処理室８内から外方へ抜き出す。そして、この抜き出された引出式処理箱１０の代わりに、予め用意されている非使用状態の別の引出式処理箱１０を既述したそれの取り出しのときの手順の逆を辿って処理室８内の図４などに示す位置に装着する。そして、電源箱４０への電力供給を再開させ使用可能状態に復帰させる。
【００３９】
一方、処理室８内から抜き出された引出式処理箱１０はトラックなどで特定の洗浄場所に運搬し、ここで第１処理槽１２などの内方に付着した乾燥汚泥などを水で洗浄する。この際、トラックによる引出式処理箱１０の運搬では、引出式処理箱１０が小型軽量であり、また第１処理槽１２内などの汚泥が乾燥していてその量が微少であるため、運搬に要する手間は少なくて済むと共に便尿処理に係る法的規制を受けることがなくて取扱いが容易となり、また引出式処理箱１０の洗浄では、引出式処理箱１０の上面が開放されているためその内方などを困難なく洗浄することができるのである。こうして洗浄された引出式処理箱１０は次の使用に備えて保管される。
【００４０】
本発明品をイベント会場などに設置したときは、短期間内に大勢の人が小用に使用するようになるが、このように使用されると、尿及び水洗水が第１処理槽１２内に未処理状態で過剰に溜まり、やがては第２処理槽１３内へ堰部ａ１を通じて溢れ出るようになって、第２処理槽１３内に貯溜するようになる。
【００４１】
これを放置すると、第２処理槽１３内の尿などは第２処理槽１３内から処理室８内に溢れ出るようになるので、これに対処すべく、第２開閉口２２を開口させて該第２開閉口２２を通じ適宜な吸引ホースなどの先端部を処理室８内に導入し、その先端開口を第２処理槽１３内の尿などの汚水中に挿し入れ、イベント期間中、前記吸引ホースにより常時、汚水を他の特定場所に設置したタンク内に吸引排除させるのである。
なお、上記実施例において第２処理槽１３の底面にヒーターを設けることは任意である。このようにすれば第２処理槽内の液分を迅速に蒸散させることができる。
【００４２】
ところで、上記実施例の空気噴出管１５は図６に示すように変形することができるのであって、即ち、例えば長さ２００ｍｍで外径３０ｍｍ程度の通気性多孔質ポリプロピレン材からなる筒体となされたディフューザ１５ｅを２つ形成し、これらディフューザ１５ｅ、１５ｅを第１処理槽１２における平面視での中心を概略対称点として、水平状でしかも周壁面に対しての凡そ４５度程度の傾斜角θとなるように固定し、各ディフューザ１５ｅの先端を閉鎖すると共にその基端開口ａ３に塩化ビニール材からなる空気入口部１５ｄを接続し、該空気入口部１５ｄの始端に、前記空気供給ホース３６を離脱可能に接続するための結合部材ａ２を固定されたものとなされている。
【００４３】
そして、第２ブロアー３１から吐出された空気が空気入口部１５ｄまで送られ、２つのディフューザ１５ｅ、１５ｅの多孔質壁面から全周囲の放射状に噴出されるようになされている。この際、２つのディフューザ１５ｅ、１５ｅは短い上に空気噴出抵抗が比較的大きくなされているため空気の噴出量は先の実施例のものに較べて少なくなるのであり、また各ディフューザ１５ｅ、１５ｅが第１処理槽１２の周壁面に対し平面視で傾斜しており且つ空気を全周囲の放射状に噴出するため、第１処理槽１２内でディフューザ１５ｅよりも高く貯溜された便尿などが図６に矢印ｆ３で示すように流動されて極めて活発に攪拌されるのであり、したがって便尿中の好気性微生物は比較的少ない空気供給により充分に酸素を供給されてその活動を活性化され、便尿を迅速に分解するようになる。なお、２つのディフューザ１５ｅ、１５ｅの前記傾斜角θをゼロにしたときには第１処理槽１２内の液の攪拌作用は大幅に減少することが発明者による実験で確認されている。
【図面の簡単な説明】
【００４４】
【図１】本発明に係る移動式ユニットトイレを斜め前方から見たもので便室を透視した状態を示す図である。
【図２】前記移動式ユニットトイレを斜め後方から見たもので便室を透視した状態を示す図である。
【図３】前記移動式ユニットトイレの概要を示すブロック図である。
【図４】前記移動式ユニットトイレの要部を示す側面視断面図である。
【図５】図４のｘ−ｘ部を示す断面図である。
【図６】前記移動式ユニットトイレの第１処理槽の変形例を示す平面図である。
【符号の説明】
【００４５】
１  床面部
４  便器
８  処理室
１０  引出式処理箱
１２  第１処理槽
１３  第２処理槽
１５  空気噴出管
１６  ヒーター
２１  第１開閉口
２２  第２開閉口
３０  第１ブロワー（動力空気供給手段）
１００  便室
１０１  処理室
【図１】
2005146723.tif 000003
【図２】
2005146723.tif 000004
【図３】
2005146723.tif 000005
【図４】
2005146723.tif 000006
【図５】
2005146723.tif 000007
【図６】
2005146723.tif 000008